(57)【要約】      （修正有）【課題】これから本格的高齢化社会にはいり車椅子を利用、介護を、必要とする方される方にとって肉体的負担を軽減できるよう、座の部分を手動で底辺から上に上下移動するラックリフトは改造用車椅子部品であるラックリフトを提供する。【解決手段】本体アルミ製フレーム軽溝鋼１を通常車椅子の、座の部分を取り除いた左右車輪ハンドル主軸に縦方向に取り付け、左右をつなぐフレーム３，２，３は両サイドチエン状に３本繋ぎ、フレーム中心の１本を上にすると両サイドの２本が下に折れ曲がり、折りたたみが出来る構造とする。３本繋いだフレーム中心に、ラックギヤ５を取り付けた支柱を繋ぎ、手動で支柱を上下昇降するブラケット４を設け、車椅子の座を取り外しできるようにする。座の部分ひじ置き背もたれは、差し込み式にし、取り外し可能にする。【選択図】図１
0003191928.tif 000002
【実用新案登録請求の範囲】
ラックリフトは、これから本格的高齢化社会にはいり車椅子を利用、介護を、必要とする方される方にとって肉体的負担を軽減できるよう座の部分を手動で底辺から上に７０ｃｍ上下移動するラックリフトは改造用車椅子部品であり、
0003191928.tif 000003
ｍを左右縦、座の部分を取り除いた車椅子の左右車輪ハンドル主軸に取り付け左右上下をつなぐフレームは長さ２００ｍｍを、チエン状に３本繋ぎ、長さ５００ｍｍにし中心の１本を上にすると両サイドの２本が  下に折れ曲がり、折りたたみが出来るようにし。
（２）３本繋いだフレーム中心の１本の上下にラックギヤを取り付けた支柱を取り付け支柱を手動で、上下昇降するブラケットを設け、このブラケットに、取り外しできる車椅子の座を、取り付、け上下できるようにし。
（３）座の部分ひじ置き背もたれは、椅子に乗り降りがしやすいよう差し込み式にしこれも取り外し可能にし以上からなるラックリフト。
【考案の詳細な説明】
【技術分野】ラックリフトは、本体アルミ製［軽溝鋼▲１▼ｔ３×３０×３０×６０と▲２▼ｔ３×２５×２５×５３のフレーム２種類で縦７２０ｍｍ横５００ｍｍの長方形の枠を組む。左右縦枠▲１▼のフレーム長さ７２０ｍｍに▲１▼のフレーム長さ２００ｍｍを中心にして▲２▼のフレーム長さ２００ｍｍを両サイドに取付けチエン状３本繋ぎにし取付け工法は全フレームの両サイド端から１５ミリ入った所に１０ｍｍの穴を開けてあり９，５ｍｍのリベットピンで繋ぐ．３本繋いだフレームを左右縦枠▲１▼の上下に取付け縦長方形の縦７２０ｍｍ横５００ｍｍの枠が完成し、左右を繋ぐ３本繋ぎ中心▲１▼フレーム上下にラックギヤを取付けた角鋼管４０×４０×１，６長さ６９０ｍｍの支柱を立使いにボルトで取付け上部に楕円形のハンドルを設け上に上げることで３本繋ぎの上下両サイドが折れ曲がり横５００ｍｍが２００ｍｍに狭くなりフレーム枠、横方向を折たたむ事ができる。ラックギヤを取付けた支柱にウォームギヤを利用した昇降ブラケット製作取付ける。
支柱に取付けた昇降ブラケットに車椅子座の部分をスチール鋼管肉厚２ｍｍ外形１７ｍｍパイプで４００ｍｍ正方形枠を設けビニール系シートを張り背中方向、下部中心に鉄製丸鋼外形２５ｍｍ長さ５０ｍｍを溶接。昇降ブラケットには座下部に溶接した丸鋼２５ｍｍが差し込めるように内径２５ｍｍ外形３５ｍのパイプが溶接されており、座が取り外しできる。同じく肘置き背もたれもスチール鋼管外形１７ｍｍ使用、座に取り外し出来るように製作。座の昇降動作は昇降ブラケットに設けたウォームギヤに取り外しのできるＬ型ハンドルを設け右回転さすと昇り左回転させると降り、体重８０キロ位であれば女性が片手でハンドルを回す事が出来る。一般的ノーマルの介護用車椅子であれば、座の部分を取り除き取付けが可能である。
【図面の簡単な説明】
【図１】ラックリフト本体（図１−▲１▼）縦枠に（図１−▲２▼と▲３▼）を繋いだフレーム）横枠を（図１−▲７▼）リベットピンで取付け縦中心にラックギヤを取付けた（図１−▲５▼）を下は六角ナット締め上は（図１−▲６▼）吊フックで締め付けフックをうえに上げることにより（図１−▲７▼）で繋いだ部分が折れ曲がり横５００ｍｍを２００ｍｍまで折りたたむ事ができる。（図１−▲４▼）昇降ブラケットは平ギヤ３コ、ウォームギヤ１コ（図１−▲１１▼）Ｌ型ハンドル（図１−▲１３▼）座の差し込み部パイプ内径２５ｍｍ外形３５ｍｍ。（図１−▲１０▼）座はスチール鋼管肉厚２ｍｍ外形１７ｍｍで４００ｍｍの正方形にビニール系シート張った座。（図−１▲１４▼）座背中方向下部鉄制丸鋼２５ｍｍ。背もたれ（図１−▲８▼）高さ４００ｍｍ左右肘置（図１−▲９▼）と連結．座（図１−▲１０▼）と取り外しができ肘置（図１−▲９▼）も個別に左右開く。１３ｍｍ穴（図１ー▲１２▼）は車椅子左右車輪主軸の取り付け穴。
【図２】吊フック（図１−▲６▼）を上に上げると（図２−▲１▼▲２▼▲３▼）フレームの連結繋いだ部分が折れ曲がりフレーム（図２−▲１▼）が中心に寄り横枠幅５２０ｍｍが幅２００ｍｍ前後になる。
【図３】ラックリフトを取り付けた車椅子改造完成写真イメージ図。
【図１】
0003191928.tif 000004
【図２】
0003191928.tif 000005
【図３】
0003191928.tif 000006
【手続補正書】
【提出日】平成25年12月24日(2013.12.24)
【手続補正１】
【補正対象書類名】実用新案登録請求の範囲
【補正対象項目名】全文
【補正方法】変更
【補正の内容】
【実用新案登録請求の範囲】
【請求項１】
ラックリフトは、これから本格的高齢化社会にはいり車椅子を利用、介護を、必要とする方される方にとって肉体的負担を軽減できるよう座の部分を手動で底辺から上に７０ｃｍ上下移動するラックリフトは改造用車椅子部品であり、
（１）本体アルミ製フレーム軽溝鋼ｔ３×３０×３０×６０長さ７２０ｍｍを車椅子の、座の部分を取り除いた左右車輪ハンドル主軸に縦方向に取り付け、左右をつなぐフレーム軽溝鋼はｔ３×３０×３０×６０長さ２００ｍｍを中心に軽溝鋼ｔ３×２５×２５×５３長さ２００ｍｍを両サイドチエン状に３本繋ぎ、長さ５００ｍｍになるようにしたフレームを左右車輪ハンドル主軸に取付けたフレームの上下に繋ぐ。中心の１本を上にすると両サイドの２本が  下に折れ曲がり、折りたたみが出来るようにし。
（２）３本繋いだフレーム中心の１本の上下をラックギヤを取り付けた支柱を繋ぎ支柱を手動で、上下昇降するブラケットを設け、このブラケットに、取り外しできる車椅子の座を、取り付、上下できるようにし。
（３）座の部分ひじ置き背もたれは、椅子に乗り降りがしやすいよう差し込み式にしこれも取り外し可能にし以上からなるラックリフト。
【手続補正２】
【補正対象書類名】明細書
【補正対象項目名】全文
【補正方法】変更
【補正の内容】
【考案の詳細な説明】
【技術分野】ラックリフトは、本体アルミ製軽溝鋼▲１▼ｔ３×３０×３０×６０と▲２▼ｔ３×２５×２５×５３のフレーム２種類で縦７２０ｍｍ横５００ｍｍの長方形の枠を組む。左右縦枠▲１▼のフレーム長さ７２０ｍｍに▲１▼のフレーム長さ２００ｍｍを中心にして▲２▼のフレーム長さ２００ｍｍを両サイドに取付けチェン状３本繋ぎにし取付け工法は全フレームの両サイド端から１５ミリ入った所に１０ｍｍの穴を開けてあり９，５ｍｍのリベットピンで繋ぐ．３本繋いだフレームを左右縦枠▲１▼の上下に取付け縦長方形の縦７２０ｍｍ横５００ｍｍの枠が完成し、左右を繋ぐ３本繋ぎ中心▲１▼フレーム上下にラックギヤを取付けた角鋼管４０×４０×１，６長さ６９０ｍｍの支柱を立使いにボルトで取付け上部に楕円形のハンドルを設け上に上げることで３本繋ぎの上下両サイドが折れ曲がり横５００ｍｍが２００ｍｍに狭くなりフレーム枠、横方向を折たたむ事ができる。ラックギヤを取付けた支柱にウォームギヤを利用した昇降ブラケット製作取付ける。
支柱に取付けた昇降ブラケットに車椅子座の部分をスチール鋼管肉厚２ｍｍ外形１７ｍｍパイプで４００ｍｍ正方形枠を設けビニール系シートを張り背中方向、下部中心に鉄製丸鋼外形２５ｍｍ長さ５０ｍｍを溶接。昇降ブラケットには座下部に溶接した丸鋼２５ｍｍが差し込めるように内径２５ｍｍ外形３５ｍのパイプが溶接されており、座が取り外しできる。同じく肘置き背もたれもスチール鋼管外形１７ｍｍ使用、座に取り外し出来るように製作。座の昇降動作は昇降ブラケットに設けたウォームギヤに取り外しのできるＬ型ハンドルを設け右回転さすと昇り左回転させると降り、体重８０キロ位であれば女性が片手でハンドルを回す事が出来る。一般的ノーマルの介護用車椅子であれば、座の部分を取り除き取付けが可能である。
【図面の簡単な説明】
【図１】ラックリフト本体（図１−▲１▼）縦枠に（図１−▲２▼と▲３▼）を繋いだフレーム）横枠を（図１−▲７▼）リベットピンで取付け縦中心にラックギヤを取付けた（図１−▲５▼）を下は六角ナット締め上は（図１−▲６▼）吊フックで締め付けフックをうえに上げることにより（図１−▲７▼）で繋いだ部分が折れ曲がり横５００ｍｍを２００ｍｍまで折りたたむ事ができる。（図１−▲４▼）昇降ブラケットは平ギヤ３コ、ウォームギヤ１コ（図１−▲１１▼）Ｌ型ハンドル（図１−▲１３▼）座の差し込み部パイプ内径２５ｍｍ外形３５ｍｍ。（図１−▲１０▼）座はスチール鋼管肉厚２ｍｍ外形１７ｍｍで４００ｍｍの正方形にビニール系シート張った座。（図−１▲１４▼）座背中方向下部鉄制丸鋼２５ｍｍ。背もたれ（図１−▲８▼）高さ４００ｍｍ左右肘置（図１−▲９▼）と連結．座（図１−▲１０▼）と取り外しができ肘置（図１−▲９▼）も個別に左右開く。１３ｍｍ穴（図１ー▲１２▼）は車椅子左右車輪主軸の取り付け穴。
【図２】吊フック（図１−▲６▼）を上に上げると（図２−▲１▼▲２▼▲３▼）フレームの連結繋いだ部分が折れ曲がりフレーム（図２−▲１▼）が中心に寄り横枠幅５２０ｍｍが幅２００ｍｍ前後になる。
【図３】ラックリフトを取り付けた車椅子改造完成写真イメージ図。
【手続補正書】
【提出日】平成26年4月25日(2014.4.25)
【手続補正１】
【補正対象書類名】実用新案登録請求の範囲
【補正対象項目名】全文
【補正方法】変更
【補正の内容】
【実用新案登録請求の範囲】
【請求項１】
ラックリフトは、これから本格的高齢化社会にはいり車椅子を利用、介護を、必要とする方される方にとって肉体的負担を軽減できるよう座の部分を手動で底辺から上に７０ｃｍ上下移動する改造用車椅子部品であり、
（１）本体アルミ製フレーム軽溝鋼ｔ３×３０×６０長さ７２０ｍｍを通常車椅子の、座の部分を取り除いた左右車輪ハンドル主軸に縦方向に取り付け、左右をつなぐフレームは軽溝鋼はｔ３×３０×６０長さ２００ｍｍを中心に軽溝鋼ｔ３×２５×５３長さ２００ｍｍを両サイドチエン状に３本繋ぎ、長さ５００ｍｍ１本にしたフレームを左右車輪ハンドルに主軸縦方向に取付けた７２０ｍｍのフレーム上下の左右を繋ぎ、縦７２０ｍｍ横５００ｍｍの縦長方形のフレーム枠にし横チエン状３本繋いだ５００ｍｍフレーム中心の１本を上にすると両サイドの２本が下に折れ曲がり、折りたたみが出来るようにし。
（２）３本繋いだフレーム中心の１本の上下をラックギヤを取り付けた支柱を繋ぎ、手動で該支柱を上下昇降するブラケットを設け、このブラケットには、車椅子の座を取り外しできるよう鉄製パイプ内径２５ｍｍ外形３５ｍｍ長さ６０ｍｍのパイプを縦方向に、溶接、車椅子の座には背中方向下部に鉄製丸鋼外形２５ｍｍ長さ５０溶接取り付昇降ブラケットに、車椅子座が抜き差し取り外しができるよにし。
（３）座の部分ひじ置き背もたれは、車椅子座に乗り降りがしやすいように昇降ブラケット車椅子座と同様工法で差し込み式にしこれも取り外し可能にした以上からなるラックリフト。
【手続補正２】
【補正対象書類名】明細書
【補正対象項目名】全文
【補正方法】変更
【補正の内容】
【考案の詳細な説明】
【技術分野】ラックリフトは、本体アルミ製軽溝鋼▲１▼ｔ３×３０×６０と▲２▼ｔ３×２５×５３のフレーム２種類で縦７２０ｍｍ横５００ｍｍの長方形の枠を組む。左右縦枠▲１▼のフレーム長さ７２０ｍｍに▲１▼のフレーム長さ２００ｍｍを中心にして▲２▼のフレーム長さ２００ｍｍを両サイドに取付けチエン状３本繋ぎにし取付け工法は全フレームの両サイド端から１５ミリ入った所に１０ｍｍの穴を開けてあり９，５ｍｍのリベットピンで繋ぐ．３本繋いだフレームを左右縦枠▲１▼の上下に取付け縦長方形の縦７２０ｍｍ横５００ｍｍの枠が完成し、左右を繋ぐ３本繋ぎ中心▲１▼フレーム上下にラックギヤを取付けた角鋼管４０×４０×１，６長さ６９０ｍｍの支柱を立使いにボルトで取付け上部に楕円形のハンドルを設け上に上げることで３本繋ぎの上下両サイドが折れ曲がり横５００ｍｍが２００ｍｍに狭くなりフレーム枠、横方向を折たたむ事ができる。ラックギヤを取付けた支柱にウォームギヤを利用した昇降ブラケット製作取付ける。
支柱に取付けた昇降ブラケットに車椅子座の部分をスチール鋼管肉厚２ｍｍ外形１７ｍｍパイプで４００ｍｍ正方形枠を設けビニール系シートを張り背中方向、下部中心に鉄製丸鋼外形２５ｍｍ長さ５０ｍｍを溶接。昇降ブラケットには座下部に溶接した丸鋼２５ｍｍが差し込めるように内径２５ｍｍ外形３５ｍのパイプが溶接されており、座が取り外しできる。同じく肘置き背もたれもスチール鋼管外形１７ｍｍ使用、座に取り外し出来るように製作。座の昇降動作は昇降ブラケットに設けたウォームギヤに取り外しのできるＬ型ハンドルを設け右回転さすと昇り左回転させると降り、体重８０キロ位であれば女性が片手でハンドルを回す事が出来る。一般的ノーマルの介護用車椅子であれば、座の部分を取り除き取付けが可能である。
【図面の簡単な説明】
【図１】ラックリフト本体（図１−▲１▼）縦枠に（図１−▲２▼と▲３▼）を繋いだフレーム）横枠を（図１−▲７▼）リベットピンで取付け縦中心にラックギヤを取付けた（図１−▲５▼）を下は六角ナット締め上は（図１−▲６▼）吊フックで締め付けフックをうえに上げることにより（図１−▲７▼）で繋いだ部分が折れ曲がり横５００ｍｍを２００ｍｍまで折りたたむ事ができる。（図１―▲４▼）昇降ブラケットは平ギヤ３コ、ウォームギヤ１コ（図１−▲１１▼）Ｌ型ハンドル（図１−▲１３▼）座の差し込み部パイプ内径２５ｍｍ外形３５ｍｍ。（図１−▲１０▼）座はスチール鋼管肉厚２ｍｍ外形１７ｍｍで４００ｍｍの正方形にビニール系シート張った座。（図―１▲１４▼）座背中方向下部鉄制丸鋼２５ｍｍ。背もたれ（図１−▲８▼）高さ４００ｍｍ左右肘置（図１−▲９▼）と連結．座（図１−▲１０▼）と取り外しができ肘置（図１−▲９▼）も個別に左右開く。１３ｍｍ穴（図１ー▲１２▼）は車椅子左右車輪主軸の取り付け穴。
【図２】吊フック（図１−▲６▼）を上に上げると（図２−▲１▼▲２▼▲３▼）フレームの連結繋いだ部分が折れ曲がりフレーム（図２−▲１▼）が中心に寄り横枠幅５２０ｍｍが幅２００ｍｍ前後になる。
【図３】ラックリフトを取り付けた車椅子改造完成写真イメージ図。